(57)【特許請求の範囲】
【請求項１】
プラグボディから栓刃が突出して設けられたプラグが接続されるコンセントであって、
差込口から挿入される前記栓刃を挟持する刃受部を具備するコンセント本体と、前記コンセント本体から突出して設けられた支持体とを備え、
前記コンセント本体には、プラグが接続される際に前記プラグボディの一部に当接する規制部が設けられており、
前記規制部は、前記支持体のうち前記プラグボディと対向する面である支持面に設けられた凹所であって、前記プラグボディに設けられている突起部が納まる凹所からなり、前記差込口に前記栓刃が挿入される際に、前記プラグボディの一部に当接することで前記支持面に沿う平面内で前記栓刃の挿入方向と直交する直交方向への前記プラグボディの移動を規制し、前記コンセント本体に対する前記プラグボディの位置を前記栓刃と前記差込口とが対応する位置に合わせ、
前記支持体は、前記差込口を覆う閉位置と前記差込口を外部に露出させる開位置との間で回動可能な扉体からなり、
前記扉体を前記閉位置へ向かい付勢する付勢部材をさらに備える
ことを特徴とするコンセント。
【請求項２】
コンセント本体の差込口に栓刃を挿入することでコンセントに接続されるプラグであって、
前記栓刃が突出して設けられたプラグボディを備え、
前記プラグボディには、コンセントへ接続される際に前記コンセント本体に設けられた規制部に当接する突起部が設けられており、
前記突起部は、前記コンセント本体から突出して設けられた支持体のうち前記プラグボディと対向する面である支持面に設けられている前記規制部に当接するように、前記プラグボディにおける前記支持面と対向する一側面から突出して設けられており、前記差込口に前記栓刃が挿入される際に、前記規制部に当接することで前記支持面に沿う平面内で前記栓刃の挿入方向と直交する直交方向への前記プラグボディの移動を規制し、前記コンセント本体に対する前記プラグボディの位置を前記栓刃と前記差込口とが対応する位置に合わせ、
前記プラグボディには、前記コンセントに接続された状態において、前記支持体の前記支持面における前記栓刃の挿入方向の前記規制部よりも前記コンセント本体側に設けられている固定部と係合することにより、前記プラグボディの前記直交方向の移動を規制する係合部とが設けられ、さらに前記直交方向の両側面に平面形状の把持部が設けられる
ことを特徴とするプラグ。
【請求項３】
コンセント本体の差込口に栓刃を挿入することでコンセントに接続されるプラグであって、
前記栓刃が突出して設けられたプラグボディを備え、
前記プラグボディには、コンセントへ接続される際に前記コンセント本体に設けられた規制部に当接する突起部が設けられており、
前記突起部は、前記コンセント本体から突出して設けられた支持体のうち前記プラグボディと対向する面である支持面に設けられている前記規制部に当接するように、前記プラグボディにおける前記支持面と対向する一側面から突出して設けられており、前記差込口に前記栓刃が挿入される際に、前記規制部に当接することで前記支持面に沿う平面内で前記栓刃の挿入方向と直交する直交方向への前記プラグボディの移動を規制し、前記コンセント本体に対する前記プラグボディの位置を前記栓刃と前記差込口とが対応する位置に合わせ、
前記プラグボディには、前記コンセントに接続された状態において、前記支持体の前記支持面における前記栓刃の挿入方向の前記規制部よりも前記コンセント本体側に設けられている固定部と係合することにより、前記プラグボディの前記直交方向の移動を規制する係合部とが設けられ、さらに前記突起部が設けられた部位とは反対側になる側面に位置表示部が設けられる
ことを特徴とするプラグ。
【請求項４】
前記係合部は、前記支持体の前記支持面から突出する突形状の前記固定部を前記直交方向の両側から挟みこむ凹形状である
ことを特徴とする請求項２または３に記載のプラグ。
【請求項５】
プラグボディから栓刃が突出して設けられたプラグと、前記栓刃が挿抜自在に挿入されるコンセントとを備える接続装置であって、
前記コンセントは、差込口から挿入される栓刃を挟持する刃受部を具備するコンセント本体と、前記コンセント本体から突出して設けられた支持体とを備え、
前記コンセント本体には、プラグが接続される際に前記プラグボディの一部に当接する規制部が設けられており、
前記プラグボディには、前記支持体のうち前記プラグボディと対向する面である支持面に設けられている前記規制部に当接する突起部が、前記支持面と対向する一側面から突出して設けられており、
前記規制部は、前記支持面に設けられた凹所であって、前記突起部が納まる凹所からなり、前記差込口に前記栓刃が挿入される際に、前記プラグボディの一部に当接することで前記支持面に沿う平面内で前記栓刃の挿入方向と直交する直交方向への前記プラグボディの移動を規制し、前記コンセント本体に対する前記プラグボディの位置を前記栓刃と前記差込口とが対応する位置に合わせ、
前記支持体は、前記差込口を覆う閉位置と前記差込口を外部に露出させる開位置との間で回動可能な扉体からなり、
前記扉体を前記閉位置へ向かい付勢する付勢部材をさらに備える
ことを特徴とする接続装置。
【請求項６】
プラグボディから栓刃が突出して設けられたプラグと、前記栓刃が挿抜自在に挿入されるコンセントとを備える接続装置であって、
前記コンセントは、差込口から挿入される栓刃を挟持する刃受部を具備するコンセント本体と、前記コンセント本体から突出して設けられた支持体とを備え、
前記プラグボディには、コンセントへ接続される際に前記コンセント本体に設けられた規制部に当接する突起部が設けられており、
前記突起部は、前記支持体のうち前記プラグボディと対向する面である支持面に設けられている前記規制部に当接するように、前記プラグボディにおける前記支持面と対向する一側面から突出して設けられており、前記差込口に前記栓刃が挿入される際に、前記規制部に当接することで前記支持面に沿う平面内で前記栓刃の挿入方向と直交する直交方向への前記プラグボディの移動を規制し、前記コンセント本体に対する前記プラグボディの位置を前記栓刃と前記差込口とが対応する位置に合わせ、
前記プラグボディには、前記コンセントに接続された状態において、前記支持体の前記支持面における前記栓刃の挿入方向の前記規制部よりも前記コンセント本体側に設けられている固定部と係合することにより、前記プラグボディの前記直交方向の移動を規制する係合部が設けられる
ことを特徴とする接続装置。
【発明の詳細な説明】
【技術分野】
【０００１】
本発明は、栓刃が差込口に挿入されることで電気的に接続されるコンセント、プラグ、接続装置に関する。
【背景技術】
【０００２】
コンセントには、差込口に埃の堆積を防止することを目的として、差込口を覆う開閉可能な扉体を備えたものが知られている（例えば、特許文献１参照）。このようなコンセントでは、プラグを差込口に挿入する際には、扉体を手動で開けて差込口を露出した状態とし、コンセントの不使用時には、差込口を覆うように扉体を閉めている。
【０００３】
また、扉体がないコンセントでも、差込口を下向きに開口して導電部に水が入りにくい構造とし、屋外の壁面等に取り付けられて使用される防水コンセントなどが知られている（例えば、特許文献２参照）。
【先行技術文献】
【特許文献】
【０００４】
【特許文献１】特開平１１−１８５８６１号公報
【特許文献２】特開２００７−１０３２５８号公報
【発明の概要】
【発明が解決しようとする課題】
【０００５】
ところで、上述したような扉体を有するコンセントでは、プラグを挿入する際に扉体がプラグと干渉することにより、プラグの栓刃を差込口に対して位置合わせすることが困難である問題があった。このような問題を解決するために、使用者が片手で扉体を保持し、片手でプラグを差込口に挿入する方法が考えられるが、使用者が扉体をプラグに干渉しないように保持しなければならないため、プラグをコンセントに挿入する作業が煩雑であった。
【０００６】
また、扉体がなくても上述の防水コンセントなどにおいては、例えばコンセントの取付角度や取付位置などによって、使用者が差込口を目視しにくいような状態で取り付けられている場合には、プラグの栓刃を差込口に対して位置合わせすることが困難な場合がある。
【０００７】
本発明は、上記実情に鑑みてなされたものであり、その目的とするところは、栓刃を差込口に容易に挿入することのできるコンセント、プラグ、接続装置を提供することにある。
【課題を解決するための手段】
【０００８】
本発明のコンセントは、プラグボディから栓刃が突出して設けられたプラグが接続されるコンセントであって、差込口から挿入される前記栓刃を挟持する刃受部を具備するコンセント本体と、前記コンセント本体から突出して設けられた支持体とを備え、前記コンセント本体には、プラグが接続される際に前記プラグボディの一部に当接する規制部が設けられており、前記規制部は、前記支持体のうち前記プラグボディと対向する面である支持面に設けられた凹所であって、前記プラグボディに設けられている突起部が納まる凹所からなり、前記差込口に前記栓刃が挿入される際に、前記プラグボディの一部に当接することで前記支持面に沿う平面内で前記栓刃の挿入方向と直交する直交方向への前記プラグボディの移動を規制し、前記コンセント本体に対する前記プラグボディの位置を前記栓刃と前記差込口とが対応する位置に合わせ、前記支持体は、前記差込口を覆う閉位置と前記差込口を外部に露出させる開位置との間で回動可能な扉体からなり、前記扉体を前記閉位置へ向かい付勢する付勢部材をさらに備えることを特徴とする。
【０００９】
このコンセントにおいて、前記凹所には、前記栓刃の挿入方向において前記凹所の底面から前記支持面に向かい傾斜する傾斜部が設けられることが望ましい。
【００１０】
このコンセントにおいて、前記支持体の前記支持面における前記栓刃の挿入方向の前記規制部よりも前記コンセント本体側には、前記栓刃を前記刃受部に把持した状態において前記プラグボディに設けられている突起部を固定する固定部が設けられることがより望ましい。
【００１１】
このコンセントにおいて、前記固定部は、前記栓刃を前記刃受部に把持した状態において前記プラグボディに設けられている係合部と係合することにより、前記支持体に対する前記プラグボディの前記直交方向の移動を規制することがより望ましい。
【００１２】
このコンセントにおいて、前記固定部は、前記支持体の前記支持面から突出する突形状を有し、凹形状の前記係合部により前記直交方向の両側から挟みこまれることがより望ましい。
【００１３】
このコンセントにおいて、前記凹所は、仕切壁が設けられることにより２つの凹所に区分けされ、前記栓刃の挿入方向における前記コンセント本体側の前記凹所が前記栓刃を前記刃受部に挟持した状態において前記突起部を固定する固定部となり、前記コンセント本体とは反対側の前記凹所が前記規制部となることがより望ましい。
【００１４】
このコンセントでは、前記閉位置において、前記扉体は前記コンセント本体の外縁よりも突出する部位を有することがより望ましい。
【００１５】
このコンセントにおいて、前記コンセント本体には、前記挿入口が形成された挿入面を露出させるとともに当該挿入面以外の面を覆う化粧カバーが設けられ、前記化粧カバーの表面には、前記扉体が前記閉位置にあるときの前記規制部と対応する位置に前記化粧カバーを保護する保護部材が設けられることがより望ましい。
【００１６】
このコンセントにおいて、前記コンセント本体には、前記扉体が閉位置となるときに当該扉体と接触する接触面が設けられ、前記接触面は、前記挿入口が形成された挿入面と平行となることがより望ましい。
【００１７】
このコンセントにおいて、前記コンセント本体には、当該コンセント本体への電力供給のオン状態及びオフ状態を表示する表示部が設けられることがより望ましい。
【００１８】
このコンセントにおいて、前記コンセント本体は壁面に取り付けられ、前記コンセント本体と前記壁面との間には、スペーサが挟まれることがより望ましい。
【００１９】
このコンセントにおいて、前記刃受部は、所定方向に配列された一対の第１挟持片と、前記所定方向に直交する方向に隣接して配列された第２挟持片とを有することがより望ましい。
【００２０】
本発明のプラグは、コンセント本体の差込口に栓刃を挿入することでコンセントに接続されるプラグであって、前記栓刃が突出して設けられたプラグボディを備え、前記プラグボディには、コンセントへの接続時に前記コンセント本体に設けられた規制部に当接する突起部が設けられており、前記突起部は、前記規制部に当接することで前記栓刃の挿入方向とは異なる方向への前記プラグボディの移動を規制し、前記コンセント本体に対する前記プラグボディの位置を前記栓刃と前記差込口とが対応する位置に合わせることを特徴とする。
【００２１】
このプラグにおいて、前記突起部は、前記コンセント本体から突出して設けられた支持体のうち前記プラグボディと対向する面である支持面に設けられている前記規制部に当接するように、前記プラグボディにおける前記支持面と対向する一側面から突出して設けられており、コンセントへの接続時には、前記支持面に沿う平面内で前記栓刃の挿入方向と直交する直交方向への前記プラグボディの移動を規制することが望ましい。
【００２２】
このプラグにおいて、前記プラグボディには、前記コンセントに接続された状態において、前記支持体の前記支持面における前記栓刃の挿入方向の前記規制部よりも前記コンセント本体側に設けられている固定部と係合することにより、前記プラグボディの前記直交方向の移動を規制する係合部が設けられることがより望ましい。
【００２３】
このプラグにおいて、前記係合部は、前記支持体の前記支持面から突出する突形状の前記固定部を前記直交方向の両側から挟みこむ凹形状であることがより望ましい。
【００２４】
このプラグにおいて、前記突起部における前記直交方向の両側面は、前記突起部の中央部から前記直交方向の外側に向かうにつれて前記プラグボディからの前記突起部の突出量が小さくなるように傾斜していることがより望ましい。
【００２５】
このプラグにおいて、前記プラグボディには、前記直交方向の両側面に平面形状の把持部が設けられることがより望ましい。
【００２６】
このプラグにおいて、前記プラグボディには、前記突起部が設けられた部位とは反対側になる側面に位置表示部が設けられることがより望ましい。
【００２７】
本発明の接続装置は、プラグボディから栓刃が突出して設けられたプラグと、前記栓刃が挿抜自在に挿入されるコンセントとを備える接続装置であって、前記コンセントは、差込口から挿入される栓刃を挟持する刃受部を具備するコンセント本体を備え、前記コンセント本体には、プラグの接続時に前記プラグボディの一部に当接する規制部が設けられており、前記規制部は、前記プラグボディの一部に当接することで前記栓刃の挿入方向とは異なる方向への前記プラグボディの移動を規制し、前記コンセント本体に対する前記プラグボディの位置を前記栓刃と前記差込口とが対応する位置に合わせることを特徴とする。
【００２８】
この接続装置において、前記コンセントは、前記コンセント本体から突出して設けられた支持体を備え、前記プラグボディには、前記支持体のうち前記プラグボディと対向する面である支持面に設けられている前記規制部に当接する突起部が、前記支持面と対向する一側面から突出して設けられており、前記規制部は、前記プラグの接続時には、前記突起部に当接して、前記支持面に沿う平面内で前記栓刃の挿入方向と直交する直交方向への前記プラグボディの移動を規制することが望ましい。
【発明の効果】
【００２９】
本発明によれば、栓刃を差込口に容易に挿入することのできるプラグ、コンセント、接続装置を提供することができる。
【図面の簡単な説明】
【００３０】
【図１】第１の実施形態について、コンセントの分解斜視構造を示す斜視図。
【図２】同実施形態のコンセントブロックについて、（ａ）コンセントブロックの分解斜視構造を示す斜視図、（ｂ）受口カバーの正面構造を示す平面図。
【図３】同実施形態の扉体について、（ａ）扉体を上方から見た斜視構造を示す斜視図、（ｂ）扉体を（ａ）の断面線Ａ−Ａにて切った断面構造を示す断面図。
【図４】同実施形態のコンセント断面構造を示す断面図。
【図５】同実施形態のコンセントについて、（ａ）扉体が閉状態のときの下方から見た斜視構造を示す斜視図、（ｂ）扉体が閉状態のときの上面構造を示す平面図。
【図６】同実施形態のプラグについて、（ａ）上方から見た斜視構造を示す斜視図、（ｂ）下方から見た斜視構造を示す斜視図。
【図７】同実施形態のコンセントへプラグを挿入する態様について、（ａ）扉体が閉状態のときの扉体とプラグとの関係を示す模式図、（ｂ）扉体を開状態としたときのプラグと扉体との関係を示す模式図、（ｃ）（ｂ）からプラグが挿入される状態を示す模式図、（ｄ）規制部に突起部が収納される状態を示す模式図。
【図８】同実施形態の扉体とプラグとの位置関係について、規制部に突起部が収納された状態の下面構造を示す平面図。
【図９】同実施形態のコンセントへプラグを挿入する態様について、（ａ）保持部と突起部とが係合される状態を示す模式図、（ｂ）保持部の頂面に突起部が位置する状態を示す模式図、（ｃ）突起部が固定部に収納される状態を示す模式図。
【図１０】同実施形態のコンセントからプラグを抜き去る態様について、（ａ）使用者が押圧した扉体の状態を示す模式図、（ｂ）コンセントからプラグを抜き去った後の扉体の動作を示す模式図。
【図１１】第２の実施形態について、扉体の斜視構造を示す斜視図。
【図１２】同実施形態のプラグの斜視構造を示す斜視図。
【図１３】同実施形態のプラグ及びコンセントについて、（ａ）コンセントにプラグを接続完了した状態の断面構造を示す断面図、（ｂ）（ａ）を下方から見た平面図。
【図１４】第３の実施形態について、コンセントの外観を示す斜視図。
【図１５】同実施形態のコンセントにプラグが接触した状態の斜視構造を示す斜視図。
【図１６】第４の実施形態について、壁面にコンセントを取り付けた状態の断面構造を示す断面図。
【図１７】同実施形態のコンセントについて、スペーサの斜視構造を示す斜視図。
【図１８】第５の実施形態について、コンセントの外観を示す正面図。
【図１９】第６の実施形態について、コンセントの外観を示す斜視図。
【図２０】同実施形態のコンセントへプラグを挿入する態様について、（ａ）突起部が規制部に収納される状態を示す模式図、（ｂ）傾斜部に突起部が位置する状態を示す模式図、（ｃ）突起部が固定部に収納される状態を示す模式図。
【図２１】同実施形態のコンセントからプラグを抜き去る態様について、（ａ）使用者が押圧した支持板の状態を示す模式図、（ｂ）コンセントからプラグを抜き去った後の状態を示す模式図。
【図２２】その他の実施形態について、コンセントの外観を示す正面図。
【図２３】その他の実施形態について、コンセントブロックの受口カバーの正面構造を示す平面図。
【図２４】その他の実施形態について、扉体の上方から見た斜視構造を示す斜視図。
【図２５】その他の実施形態について、（ａ）扉体の上方から見た斜視構造を示す斜視図、（ｂ）扉体の下方から見た斜視構造を示す斜視図。
【図２６】その他の実施形態について、扉体の上方から見た斜視構造を示す斜視図。
【図２７】その他の実施形態について、扉体の上方から見た斜視構造を示す斜視図。
【図２８】その他の実施形態について、扉体の上方から見た斜視構造を示す斜視図。
【発明を実施するための形態】
【００３１】
（第１の実施形態）
図１〜図１０を参照して、本発明のコンセント及びプラグを家屋の屋外の壁面に設けられる防水コンセント及びこの防水コンセントに挿入されるプラグとして具体化した第１の実施形態について説明する。コンセントはプラグと共に接続装置を構成する。
【００３２】
図１に示すように、防水コンセント（以下、「コンセントＡ」）は、プラグＢの栓刃９１（図６参照）が挿入される差込口７５（図２参照）が設けられたコンセント本体１Ａと、このコンセント本体１Ａに設けられるとともに差込口７５の開閉動作を行う扉開閉機構１Ｂとにより構成されている。
【００３３】
以下では、壁面の表側及び裏側を規定する方向を「前後方向Ｘ」とし、鉛直方向に沿う方向を「上下方向Ｚ」とし、前後方向及び上下方向の両方に直交する方向を「左右方向Ｙ」とする。また前後方向Ｘにおいて、壁面の表側に向かう方向を「前方」とし、壁面の裏側に向かう方向を「後方」とする。
【００３４】
コンセント本体１Ａには、電線が接続されるとともに、プラグＢが接続されることによりプラグＢに電線からの電力を供給するコンセントブロック２と、このコンセントブロック２を内部に収納するとともに保持するボディ３とが設けられている。このボディ３の後方には、壁面と前後方向Ｘの間に配置される防水パッキン（以下、「パッキン４」）が取り付けられている。ボディ３及び防水パッキン４の両方は、壁面の裏側に配置された取付枠５にねじ部材ＳＣ１によって固定されている。コンセントブロック２は、ねじ部材ＳＣ２によってボディ３に固定されている。またボディ３の前方の面である前面には、化粧カバー６が取り付けられている。
【００３５】
ボディ３には、矩形状の枠体である本体部２０と、本体部２０の上方から前方に向かい突出する保持部２１とが設けられている。この保持部２１には、コンセントブロック２が収納されている。またボディ３の左右方向Ｙの中央部における上端部及び下端部には、ねじ部材ＳＣ１を挿通するための貫通孔２２が設けられている。下方の貫通孔２２には、ねじ部材ＳＣ１を覆うカバー体２３が取り付けられている。
【００３６】
パッキン４には、矩形状の枠体である本体部３０と、本体部３０の前面を覆う蓋部３１とが連続一体に設けられている。この蓋部３１の上方には、この蓋部３１を前後方向に貫通するとともに前後方向Ｘの正面視において矩形状に形成された電線挿通孔３２が設けられている。この電線挿通孔３２には、壁面の裏側から配線された電線が挿通されるようになる。蓋部３１の外周縁と本体部３０との接続部分には全周に亘り段部３３が設けられている。この段部３３により、ボディ３とパッキン４とが互いに嵌合するようになる。またボディ３の貫通孔２２に対応するパッキン４の箇所には、ねじ部材ＳＣ１を挿通するための貫通孔３４が設けられている。
【００３７】
取付枠５には、略矩形状の挿通孔４１が設けられた矩形状の枠体である本体部４０が設けられている。本体部４０の挿通孔４１の上下方向の両側には、本体部４０を前後方向Ｘに貫通するとともに壁面の裏側に取り付けられたスイッチボックス（不図示）にねじ部材（不図示）により取り付けられるための取付孔４２が設けられている。この取付孔４２の上下方向Ｚの両側には、パッキン４の貫通孔３４と対応するとともに本体部４０を前後方向Ｘに貫通する貫通孔４３が設けられている。
【００３８】
化粧カバー６は、保持部２１を前方から覆うとともに表面が曲面形状にて形成される周壁部５０と、この周壁部５０の上方を覆うとともに後方に向かうにつれて上方に傾斜する上壁５１とが設けられている。これら周壁部５０と上壁５１とにより、化粧カバー６は下方に開口するようになる。
【００３９】
扉開閉機構１Ｂには、開閉動作を行う扉体７と、この扉体７に取り付けられるシャフト８と、シャフト８を収納するとともに保持する軸ボディ９とが設けられている。この軸ボディ９は、ねじ部材ＳＣ３によりボディ３に取り付けられている。またシャフト８には、扉体７を差込口７５に向かい付勢する付勢手段であるつるまきばね（以下、「ばね１０」）が取り付けられている。
【００４０】
扉開閉機構１Ｂは、軸ボディ９に設けられたシャフト挿通孔９ａにシャフト８を挿入し、シャフト８のシャフト挿通孔９ａよりも左右方向Ｙの両側にばね１０を取り付けた状態において、ばね１０よりも左右方向Ｙの両側のシャフト８の部位に扉体７を取り付ける。これにより、シャフト８を回転軸として、扉体７は回転するようになる。即ち扉体７の開閉動作はシャフト８を中心とした回転によって行われる。
【００４１】
図２（ａ）に示すように、コンセントブロック２には、ボディ３（図１参照）に保持される筐体であるコンセントボディ１１及びコンセントカバー１２が樹脂材料を射出成形することにより成形されている。これらコンセントボディ１１及びコンセントカバー１２によって形成される内部空間には、３個の端子板１３、４個の錠ばね１４及び２個の解除釦１５がそれぞれ収納されている。またコンセントボディ１１及びコンセントカバー１２には、コンセントボディ１１及びコンセントカバー１２とは別部材として、栓刃（不図示）を受ける受口カバー１６が設けられている。
【００４２】
コンセントボディ１１及びコンセントカバー１２のそれぞれには、受口カバー１６を嵌合することにより固定する固定部１１ａ，１２ａが設けられている。
【００４３】
コンセントボディ１１の底壁１１ｂには、この底壁１１ｂを前後方向に貫通するとともに上記内部空間に連通する電線挿通孔１１ｃが設けられている。この電線挿通孔１１ｃには、電線が挿入されるようになる。また底壁１１ｂには、底壁１１ｂを前後方向Ｘに貫通するとともに解除釦１５を操作するための操作孔１１ｄが設けられている。
【００４４】
端子板１３は、左右方向Ｙに配列された２個の電源端子板１３Ａと、これら電源端子板１３Ａと左右方向Ｙに隣接して配列された１個の接地端子板１３Ｂとにより構成されている。
【００４５】
各電源端子板１３Ａには、上下方向Ｚ及び左右方向Ｙに沿う平板状の基部６０と、この基部６０から下方に向かい延びる刃受部６１と、基部６０の上端部から後方に延びる錠ばね接触部６２と、基部６０の下端部から後方に向かい延びる電線接触部６３とが設けられている。錠ばね１４は基部６０に当接するとともに錠ばね接触部６２と電線接触部６３との上下方向Ｚの間に収納されている。解除釦１５は、左右方向Ｙに配列された錠ばね１４の間に配置されている。刃受部６１には、一対の第１挟持片６４Ａと、これら第１挟持片６４Ａに左右方向Ｙに隣接して配置される第２挟持片６４Ｂとが設けられている。
【００４６】
接地端子板１３Ｂには、電源端子板１３Ａと同様に基部（不図示）、刃受部６５、錠ばね接触部６６及び電線接触部６７とが設けられている。接地端子板１３Ｂには、錠ばね接触部６６及び電線接触部６７が左右方向Ｙに離間して２つそれぞれ設けられている。そして錠ばね１４は各錠ばね接触部６６と電線接触部６７との間に収納され、これら錠ばね１４の左右方向Ｙの間に解除釦１５が配置されている。
【００４７】
受口カバー１６は、上下方向Ｚの平面視において略四角形状に形成された本体部７０が設けられている。この本体部７０の上方には、固定部１１ａ，１２ａと嵌合する周壁面７１が設けられている。また本体部７０の下方には、上下方向Ｚの平面視において円形に形成されるとともに下面７２から上方に向かい凹む凹部７３が設けられている。この凹部７３の底面７４には、差込口７５が設けられている。
【００４８】
図２（ｂ）に示すように、差込口７５は、上下方向Ｚの平面視において左右方向Ｙが長手の長方形となる２つの電源挿入孔７５ａと、略丸形となる接地挿入孔７５ｂとが設けられている。電源挿入孔７５ａは、左右方向Ｙに配列され、接地挿入孔７５ｂは電源挿入孔７５ａの左右方向Ｙの間且つ電源挿入孔７５ａよりも後方に設けられている。
【００４９】
次にコンセントブロック２と電線との接続方法及び解除方法の概略について説明する。
【００５０】
コンセントブロック２に電線を接続する際には、コンセントボディ１１の電線挿通孔１１ｃに電線を挿通する。そして電線は錠ばね１４と接触するとともに、錠ばね１４によって電線接触部６３に向かい押圧される。これにより端子板１３と電線との接続が完了する。またコンセントブロック２から電線を解除する際には、マイナスドライバー等の工具を操作孔１１ｄに挿入し、解除釦１５を前方に移動させる。これにより解除釦１５が錠ばね１４を押圧して、錠ばね１４の電線を押圧する力を低減させる。この状態において、電線を後方に向かい引き抜くことによりコンセントブロック２から電線は解除される。
【００５１】
図３（ａ）に示すように、扉体７には、平板状に形成される基部８０が設けられている。基部８０には、その中央部に表面８０ａから下方に向かい凹む凹所８１が設けられ、その後方の端部にシャフト８（図１参照）を挿通する一対のシャフト挿通部８２が設けられ、その左右方向Ｙの中央且つ前方の端部に下方に向かい湾曲状に凹む湾曲凹部８３が設けられている。
【００５２】
凹所８１には、下方の部位を構成する底面８４と、この底面８４と基部８０とを互いに接続する接続部８５とが設けられている。接続部８５のうち底面８４と基部８０とを前後方向Ｘに接続するものは、下方に向かうにつれて後方に傾斜する前方傾斜面８５ａが形成されている。また接続部８５のうち底面８４と基部８０とを左右方向Ｙに接続するものは、下方に向かうにつれて互いに近づくように傾斜する一対の側方傾斜面８５ｂが形成されている。
【００５３】
凹所８１の前後方向Ｘの中央部には、底面８４から上方に突出するとともに左右方向Ｙに対向する接続部８５を互いに連結する仕切壁８６が設けられている。この仕切壁８６の後面８６ａ（図３（ｂ）参照）は、左右方向Ｙ及び上下方向Ｚに沿った平面形状にて形成されている。また仕切壁８６により、凹所８１は、仕切壁８６より前方側の領域である規制部８７と、仕切壁８６より後方側の領域である固定部８８とに区分けされる。
【００５４】
規制部８７に対応する底面８４には、前後方向Ｘ及び左右方向Ｙに沿った平面形状の平面８４ａが設けられ、固定部８８に対応する底面８４には、平面８４ａと同様の平面８４ｂ（図３（ｂ）参照）と後方に向かうにつれて上方に傾斜する傾斜面８４ｃが設けられている。傾斜面８４ｃの傾斜角度は、傾斜面８５ａ，８５ｂの傾斜角度よりも小さくなるように形成されている。
【００５５】
仕切壁８６の前面８６ｂ側には、仕切壁８６の頂面８６ｃ及び平面８４ａを互いに接続するとともに前面８６ｂから前方に向かうにつれて下方に傾斜する傾斜部８９が設けられている。この傾斜部８９は、左右方向Ｙに離間して２つ設けられている。
【００５６】
図４に示すように、コンセントブロック２は、保持部２１の下端部に設けられた嵌合部２４に嵌合することにより保持部２１に対する位置が規定されている。具体的には、嵌合部２４に設けられた挿通孔２５にコンセントブロック２が挿入されるとともに、挿通孔２５の周縁の当接面２６にコンセントブロック２が当接している。これにより、受口カバー１６の差込口７５が形成される底面７４は、挿通孔２５よりもコンセントＡの内部に設けられるようになる。コンセントブロック２がボディ３に固定された状態において、凹部７３は、下方に向かい開口するとともに後方に傾斜するに従い下方に傾斜するように配置されている。これにより、底面７４及び差込口７５は下方に向かい露出することとなる。
【００５７】
またコンセントＡは、扉体７が化粧カバー６の周壁部５０の下端面５２と当接した状態を「閉状態」（実線の扉体７）としている。このような閉状態の扉体７の位置が閉位置となる。また下端面５２は、受口カバー１６の底面７４と平行となるように形成されている。
【００５８】
シャフト８は挿通孔２５付近に設けられ、扉体７は閉状態から下方に向かい回転可能となる。そして図中の二点鎖線にて示すように、扉体７が下端面５２に対して離間した状態を「開状態」としている。このような開状態の扉体７の位置が開位置となる。以下では、扉体７が閉状態または開状態となるように動作する方向を「開閉動作方向Ｗ」とする。この開閉動作方向Ｗは、ばね１０が扉体７を付勢する方向に対応している。そして開閉動作方向Ｗにおいて、閉状態に向かう方向を「閉方向」とし、開状態に向かう方向を「開方向」とする。また閉状態において、ばね１０（図１参照）により、基部８０は下端面５２を常に押圧した状態にて維持されるようになる。
【００５９】
図５（ａ）に示すように、化粧カバー６の下端面５２は、凹部７３を外側から囲うように形成されている。即ち化粧カバー６は、底面７４を下方に露出させるとともに底面７４以外のコンセントブロック２の面を前方及び左右方向Ｙから覆っている。そして閉状態において、扉体７は差込口７５（底面７４）の全体を下方から覆うようになる。また凹所８１は、差込口７５と対応した箇所に位置するようになる。また基部８０は下端面５２の全周に亘り当接するようになる。
【００６０】
図５（ｂ）に示すように、閉状態において、基部８０は化粧カバー６の周壁部５０の略全周に亘り周壁部５０よりも前方及び左右方向Ｙに突出している。また基部８０の湾曲凹部８３は周壁部５０よりも前方に突出している。
【００６１】
図６を参照して、プラグＢの構造について説明する。なお、図６中には、コンセントＡに関する説明に用いている「前後方向Ｘ」、「左右方向Ｙ」、「上下方向Ｚ」とは別に定められた「前後方向Ｘ」、「左右方向Ｙ」、「上下方向Ｚ」を示しており、図６に関する説明では図６中に示した方向を用いることとする。
【００６２】
図６（ａ）に示すように、プラグＢには、使用者がプラグＢを把持するための略円筒形状のプラグボディ９０と、プラグボディ９０から前方に突出する栓刃９１とが設けられている。またプラグボディ９０の後方には、栓刃９１が受けた電力を機器（不図示）に供給するためのケーブル９２が設けられている。プラグボディ９０は樹脂材料を射出成形することにより成形されている。
【００６３】
プラグボディ９０には、その前後方向Ｘの中央部の両側面に使用者の指が係る平面形状の把持部９３と、その下部に下方に向かい突出する突起部９４と、その上部に使用者がプラグＢの方向を視認する位置表示部９５とが設けられている。
【００６４】
栓刃９１は、電線挿通孔に挿入される一対の電源用栓刃９１ａと、接地挿入孔に挿入される接地用栓刃９１ｂとにより構成されている。接地用栓刃９１ｂは、電源用栓刃９１ａよりも前方に突出している。また各電源用栓刃９１ａは、前後方向Ｘの平面視において左右方向Ｙに長手の略長方形状に形成され、接地用栓刃９１ｂは、丸ピン形状に形成されている。
【００６５】
位置表示部９５は前後方向Ｘに沿って延びる長方形状の突起である。そして位置表示部９５がプラグＢの上方に位置する場合には、電源用栓刃９１ａが左右方向に沿って配列されるようになる。
【００６６】
図６（ｂ）に示すように、突起部９４は、下端部９４ａと、下端部９４ａから前方に向かうにつれて上方に傾斜する前方傾斜部９４ｂと、下端部９４ａから左右方向Ｙに向かうにつれて上方に傾斜する側方傾斜部９４ｃとが設けられている。また下端部９４ａの後端には、上方に沿って延びる保持面９４ｄが設けられている。またプラグボディ９０の突起部９４より後方には、突起部９４から後方に向かい延びる平面状の当接面９６が設けられている。この当接面９６が設けられる部位の外径は、プラグボディ９０の円筒形状の部位における他の部位の外径よりも小さく形成されている。
【００６７】
前方傾斜部９４ｂは、前方に向かうにつれて左右方向Ｙの幅が大きくなるように形成されている。前方傾斜部９４ｂには、下方から見た平面視において略三角形状に形成されるとともに上方に向かい凹む凹部９４ｅが設けられている。この凹部９４ｅは、肉抜きの役割を果たしている。即ち凹部９４ｅを設けることにより、突起部９４及びその周囲にひけや巣が発生することを抑制している。
【００６８】
図７〜図１０を参照して、コンセントＡにプラグＢを接続する態様及びコンセントＡからプラグＢを抜き去る態様のそれぞれについて説明する。図７では、プラグＢが扉体７を開状態とするとともに規制部８７に収納される様子を示し、図９では、プラグＢが隔壁を越えて固定部８８に収納されてコンセントＡへの接続が完了する様子を示している。図１０では、プラグＢをコンセントＡから抜き去る様子を示している。なお、図７〜図１０では、プラグＢのケーブル９２を省略して示している。
【００６９】
図７（ａ）に示すように、閉状態の扉体７に対して、扉体７の化粧カバー６より突出した部位をプラグボディ９０の前方の端部によって引っ掛けるようにして扉体７を開状態となるように回転させる。また扉体７を開状態とする方法としては、使用者の指によって扉体７を開方向に動作させてもよい。
【００７０】
図７（ｂ）に示すように、栓刃９１を受口カバー１６の底面７４に対向した位置にプラグＢが移動した状態において、栓刃９１を受口カバー１６に向かい挿入する。以下では、この栓刃９１の挿入方向を「栓刃挿入方向Ｖ」とする。この栓刃挿入方向Ｖにおいて、プラグＢが受口カバー１６に向かう方向を「挿入方向」とし、プラグＢが受口カバー１６から離間する方向を「抜去方向」とする。
【００７１】
図７（ｃ）に示すように、プラグＢを挿入方向に向かい挿入すると、扉体７の前方の端部と突起部９４とが接触する。この状態においてさらにプラグＢを挿入方向に向かい挿入すると、突起部９４の前方傾斜部９４ｂが扉体７をさらに開方向に回転させるようになる。そして下端部９４ａが扉体７に当接するようになる。
【００７２】
図７（ｄ）に示すように、下端部９４ａが扉体７に当接した状態にてプラグＢを挿入方向に向かい挿入すると突起部９４が規制部８７に収納されるようになる。具体的には、突起部９４は前方傾斜面８５ａによって規制部８７に案内されるとともに規制部８７の底面８４に当接するようになる。このとき扉体７は突起部９４が規制部８７に案内されるにつれて閉方向に回転する。
【００７３】
またこの状態において、栓刃９１が差込口７５に対して栓刃挿入方向Ｖにおいて対応した位置に配置されるようになる。具体的には、栓刃９１のうちの接地用栓刃９１ｂの先端部９１ｂ１が差込口７５（接地挿入孔７５ｂ）に挿入に挿入されるようになる。一方、電源用栓刃９１ａは差込口７５よりも挿入方向に位置している。即ち上記栓刃９１の差込口７５に対する配置状態において、栓刃挿入方向ＶにプラグＢを移動させると、栓刃９１が差込口７５に挿入されるようになる。
【００７４】
図８に示すように、図７（ｄ）の状態では、突起部９４の下端部９４ａの左右方向Ｙの幅Ｈ１と、凹所８１の底面８４の平面８４ａの左右方向Ｙの幅Ｈ２とが略同一となる。これにより、突起部９４が左右方向Ｙに移動しようとしても、凹所８１に接触するようになる。即ち、栓刃挿入方向Ｖ及び開閉動作方向Ｗ（即ち、扉体７が開位置において突起部９４と当接してばね部材１０（図１参照）による扉体７を付勢する方向）の両方と直交する左右方向Ｙに突起部９４が移動しようとしても規制部８７によって栓刃９１と差込口７５とが対応する位置に規制されるようになる。
【００７５】
図９（ａ）に示すように、規制部８７に突起部９４が収納された状態からプラグＢを挿入方向に向かい挿入すると突起部９４の前方傾斜部９４ｂが凹所８１の傾斜部８９に接触するようになる。これにより、突起部９４が傾斜部８９を滑るように頂面８６ｃに向かい移動する。突起部９４と傾斜部８９との接触により、扉体７は開方向に移動するようになる。また電源用栓刃９１ａは差込口７５（電源挿入孔７５ａ）に挿入されるようになる。
【００７６】
図９（ｂ）に示すように、突起部９４の下端部９４ａが頂面８６ｃと当接したときに扉体７がプラグＢをコンセントＡに挿入する際に最も開方向に移動した状態となる。ここで、凹所８１には、仕切壁８６よりも挿入方向、即ち栓刃挿入方向のコンセントＡ側に固定部８８が設けられるとともに、仕切壁８６よりも抜去方向、即ち栓刃挿入方向のコンセントＡ側とは反対側に規制部８７が設けられている。
【００７７】
図９（ｃ）に示すように、突起部９４が頂面８６ｃを超えると、固定部８８に収納されるようになる。このとき、扉体７は閉方向に向かい回転するとともに、当接面９６と頂面８６ｃとが当接し、仕切壁８６と突起部９４の保持面９４ｄとが当接するようになる。また頂面８６ｃは当接面９６と当接するようになる。これにより、プラグＢのコンセントＡへの接続が完了する。即ち栓刃９１が刃受部６１（図２参照）に挟持された状態となる。この状態において、プラグＢに左右方向Ｙへの力が加わったとしても、突起部９４が固定部８８と当接することにより、上記力によって栓刃９１と刃受部６１との接続部分に力が加わることを抑制することができる。以上により、プラグＢを操作するのみにて、扉体７を開状態とするとともにコンセントＡへの接続及びコンセントＡからプラグＢが抜けることを抑制する抜け止め機構の構成までを行うことができる。即ち使用者はプラグＢを把持する片手のみにて、コンセントＡへの接続及び上記抜け止め機構を完了することができる。
【００７８】
またこの状態において、仕切壁８６及び保持面９４ｄは栓刃挿入方向Ｖに対して直交する平面を有している。
【００７９】
ここで、ケーブル９２（図６参照）を引っ掛ける等により不用意にプラグＢがコンセントＡに対して抜けようとする場合、保持面９４ｄが仕切壁８６と栓刃挿入方向Ｖに対して当接するため、プラグＢがコンセントＡから抜けることが抑制される。特にこの状態において、仕切壁８６及び保持面９４ｄがそれぞれ栓刃挿入方向Ｖに対して略垂直なるように形成され、且つ保持面９４ｄが仕切壁８６に面接触することにより、仕切壁８６がプラグＢの抜去方向の力を正面から受けることとなる。
【００８０】
またプラグボディ９０の凹部７３に挿入される部位の外径は、凹部７３の内径と略同一となるように形成されている。即ちプラグボディ９０と凹部７３との間には、僅かな隙間のみが形成されるようになる。ここで、「僅かな隙間」とは、プラグＢがコンセントＡに接続した状態において、使用者の指が入らない程度の大きさのことを言う。
【００８１】
図１０（ａ）に示すように、プラグＢをコンセントＡから抜き去るときには、使用者は基部８０の抜去方向の端部を開方向に押圧する。そして突起部９４が仕切壁８６と栓刃挿入方向Ｖに重なる部位がなくなるようにする。即ち保持面９４ｄと仕切壁８６とが当接しなくなる。そして、この状態において、プラグＢを抜去方向に引くことにより、プラグＢをコンセントＡから抜き去ることができるようになる。
【００８２】
またプラグボディ９０の外径よりも基部８０が左右方向Ｙに大きく形成されるため（図８参照）、プラグボディ９０の外径と基部とが左右方向に同一である場合と比較して、使用者が扉体７を容易に押圧することができる。
【００８３】
プラグＢをコンセントＡから抜き去った後には、図１０（ｂ）に示すように、ばね１０（図１参照）の作用により、扉体７は下端面５２に向かい、即ち閉状態となるように回転動作する。
【００８４】
上述のように、本実施形態においては、コンセント本体１Ａのうち凹部７３の底面７４が挿入面を構成しており、開状態にある扉体７は挿入面から突出する支持体として機能する。さらに、扉体７の基部８０の表面８０ａは、支持体のうちプラグボディ９０と対向する面である支持面を構成する。すなわち、支持面である表面８０ａに形成された規制部８７は、プラグＢの挿入時に突起部９４を案内し、支持面に沿う平面内で栓刃９１の挿入方向と直交する直交方向（左右方向Ｙ）へのプラグボディ９０の移動を規制する。この状態では、コンセント本体１Ａに対するプラグボディ９０の位置は、栓刃９１が差込口７５に対応する（つまり栓刃９１の進行方向前方に差込口７５が位置する）ように、規制されることになる。
【００８５】
本実施形態によれば、以下に示す効果を奏することができる。
【００８６】
（１）本実施形態では、扉体７の基部８０に規制部８７が設けられる構成である。この構成によれば、規制部８７にプラグボディ９０の突起部９４が収納されることにより、差込口７５に対するプラグＢの左右方向Ｙの位置が決定されるようになる。したがって、差込口７５に対するプラグＢの左右方向Ｙの位置合わせが容易となる。
【００８７】
ところで、本実施形態のような防水コンセントでは、差込口に雨水が侵入するのを抑制する目的として、差込口が下方に向かい開口している構造が知られている。またこのような防水コンセントでは、使用者が差込口を視認することが困難であり、プラグをコンセントに接続する作業が煩雑であった。
【００８８】
その点、本実施形態では、規制部８７によってプラグＢの差込口７５に対する左右方向Ｙの位置が決定するため、その状態においてプラグＢを栓刃挿入方向Ｖに移動するのみにて、プラグＢをコンセントＡに接続することが可能となる。
【００８９】
（２）本実施形態では、規制部８７に突起部９４が収納された状態において、接地用栓刃９１ｂの先端部９１ｂ１が接地挿入孔７５ｂに挿入されている構成である。したがって、規制部８７に突起部９４が収納されることにより、上述のプラグＢの差込口７５に対する左右方向Ｙの位置が決定されることに加えて、栓刃９１の差込口７５に対する位置が決定されるようになる。その結果、コンセントＡにプラグＢをより容易且つ確実に接続することができる。
【００９０】
（３）本実施形態では、扉体７に傾斜部８９が設けられる構成である。したがって、プラグＢを規制部８７から挿入方向に移動するのみにて、仕切壁８６（規制部８７）を乗り越えることができる。即ち、プラグＢが仕切壁８６（規制部８７）を乗り越えるために使用者が別途扉体７を手で開方向に移動させる必要がない。その結果、プラグＢをコンセントＡに容易に接続することができる。
【００９１】
また、傾斜部８９は仕切壁８６の前方に接続される構成である。したがって、プラグＢの保持面９４ｄと仕切壁８６との当接によって、仕切壁８６が前方に変形したり破損したりすることを抑制している。即ち傾斜部８９は仕切壁８６の補強を兼ねている。
【００９２】
（４）本実施形態では、プラグＢのコンセントＡへの接続が完了した状態において、仕切壁８６が保持面９４ｄと当接する構成である。したがって、プラグＢが不用意にコンセントＡから抜けてしまうことを抑制することができる。すなわち、固定部８８により栓刃９１が刃受部６１に挟持した状態を維持されるため、ケーブルを引っ掛ける等により不用意にプラグＢをコンセントＡから抜き去る方向に力が加わったとしても、コンセントＡからプラグＢが抜けてしまうことを防ぐことができる。
【００９３】
ところで、上述のプラグのコンセントからの抜け止めの機構としては、栓刃及び端子板の刃受部にそれぞれ係合部を設け、プラグがコンセントに接続された状態において、各係合部が互いに係合して抜け止めを行うものが知られている。しかしながら、このような抜け止め機構では、この抜け止め機構が省略された刃受部と比較して、刃受部の弾性変形が大きくなってしまう。したがって、刃受部のばね性が低下しやすい問題がある。
【００９４】
その点、本実施形態では、扉体７に仕切壁８６が設けられ、プラグボディ９０に保持面９４ｄが設けられる構成であるため、栓刃９１と刃受部６１とによって抜け止め機構を構成していない。したがって、栓刃及び刃受部に抜け止め機構を設ける場合と比較して、プラグＢをコンセントＡに挿抜する回数を増大してもコンセントＡからプラグＢを抜け止めする機能を維持することができる。
【００９５】
（５）本実施形態では、基部８０に凹所８１が設けられ、この凹所８１に規制部８７及び仕切壁８６が設けられる構成である。この構成によれば、基部８０より閉方向に規制部８７及び仕切壁８６が設けられる扉体と比較して、プラグＢをコンセントＡに挿入する際の扉体７を開方向に開く回転量を低減することができる。したがって、扉体７を開くための力を少なくすることができるため、プラグＢをコンセントＡに容易に挿入することができる。また、規制部８７を凹所により形成するため、扉体７に簡単な形状を設けることのみによってコンセントＡに対するプラグＢの位置を決めることができる。しかも、凹所８１に仕切壁８６が設けられることにより固定部８８及び規制部８７が設けられるため、１つの凹所８１にて固定部８８及び規制部８７が形成されることとなり、簡単な構成によって、固定部８８及び規制部８７を構成することができる。
【００９６】
（６）本実施形態では、規制部８７に対応する接続部８５には前方傾斜面８５ａが設けられる構成である。この構成によれば、突起部９４が規制部８７に収納される際に、前方傾斜面８５ａによって突起部９４が底面８４に案内されるようになる。したがって、突起部９４を規制部８７に容易に収納することができる。
【００９７】
（７）本実施形態では、接続部８５には側方傾斜面８５ｂが設けられる構成である。この構成によれば、プラグボディ９０の突起部９４が規制部８７の底面８４に対して左右方向に異なった位置に配置したとしても、側方傾斜面８５ｂに接触することにより、突起部９４を底面８４に案内するようになる。したがって、突起部９４を規制部８７に容易に収納することができる。
【００９８】
（８）本実施形態では、基部８０は周壁部５０よりも前方及び左右方向Ｙに突出する構成である。したがって、扉体７の突出部をプラグボディ９０または使用者の指によって引っ掛けることにより、扉体７を閉状態から容易に開方向に移動させることができる。
【００９９】
特に基部８０の突出した部位をプラグボディ９０によって引っ掛ける場合には、プラグＢをコンセントＡに接続する一連の動作がプラグボディ９０によって行われるため、使用者は片手にて上記動作を行うことができる。
【０１００】
（９）本実施形態では、受口カバー１６の底面７４と化粧カバー６の下端面５２とが互いに略平行となる構成である。
【０１０１】
ところで、防水コンセントのような差込口７５が下方に向いて開口しているコンセントでは、上述のように使用者は差込口７５を視認することが困難である。そのため、差込口７５に対するプラグＢの傾斜角度を把握することが困難である。
【０１０２】
その点、本実施形態では、使用者が視認可能な下端面５２が、差込口７５が形成される底面７４と略平行であるため、下端面５２に対してプラグＢの傾斜角度を決めることにより、差込口７５に容易にプラグＢの栓刃９１を挿入することができる。
【０１０３】
（１０）本実施形態では、突起部９４の幅Ｈ１と平面８４ａの幅Ｈ２とが略同一に形成される構成である。したがって、突起部９４の左右方向への移動が規制されるようになる。その結果、プラグＢをコンセントＡへの挿入を容易に行うことができる。
【０１０４】
（１１）本実施形態では、扉体７が上方から下方に向かい回転する方向を開方向とするとともに、規制部８７が基部８０の表面側に設けられる構成である。したがって、扉体７を開状態としたときに、使用者は規制部８７の位置を視認することができる。したがって、突起部９４を規制部８７に収納する作業を容易に行うことができるようになる。
【０１０５】
（１２）本実施形態では、プラグＢがコンセントＡに接続された状態において、仕切壁８６及び保持面９４ｄのそれぞれが栓刃挿入方向Ｖに対して垂直に形成され、且つ仕切壁８６と保持面９４ｄとが面接触する構成である。したがって、仕切壁８６がプラグＢの抜去方向の力を正面にて受けるようになるため、プラグＢのコンセントＡに対する抜け止め機能を向上させることができる。
【０１０６】
（１３）本実施形態では、プラグボディ９０には平面形状の当接面９６が形成される構成である。したがって、当接面９６が省略され、プラグボディ９０の当接面と対応する部位が円筒形状である構成と比較して、仕切壁８６と保持面９４ｄとの係合量を増大することができる。
【０１０７】
（１４）本実施形態では、扉体７を閉状態にするためにばね１０が設けられる構成である。この構成によれば、扉体７を開状態から閉状態に自動的に回転することができる。したがって、扉体７の閉め忘れを防止することができる。
【０１０８】
（１５）本実施形態では、受口カバー１６に凹部７３が設けられ、その底面７４に差込口７５が設けられる構成である。したがって、プラグＢをコンセントＡに挿入する際に、栓刃９１と使用者の指とが接触した状態にて栓刃９１と刃受部６１とを接続することを抑制することができる。
【０１０９】
（１６）本実施形態では、凹部７３の内径とプラグボディ９０の凹部７３に挿入される部位の外径とが略同一に形成されるため、即ち凹部７３とプラグボディ９０との間に形成される隙間が僅かとなる構成である。したがって、凹部７３とプラグボディ９０との間に使用者の指が入ってしまうことを抑制することができる。その結果、上記の栓刃９１と使用者の指とが接触した状態にて栓刃９１と刃受部６１とを接続することを抑制する効果をより一層向上することができる。
【０１１０】
また、プラグＢをコンセントＡに接続した状態において、ケーブル９２を引っ掛ける等によってプラグＢに力が加わり栓刃挿入方向Ｖに対して傾こうとしても、プラグボディ９０が凹部７３に接触することにより、プラグＢの栓刃挿入方向Ｖに対する傾きが抑制されるようになる。その結果、栓刃９１が折れ曲がることや差込口７５が破損するといった不具合を抑制することができる。
【０１１１】
（１７）本実施形態では、底面７４が挿通孔２５よりコンセントＡの内部に設けられる構成である。したがって、底面が挿通孔２５と同位置もしくは挿通孔２５よりコンセントＡの外部に設けられる構成と比較して、底面の差込口に水が浸入することを抑制することができる。したがって、上記構成と比較して、コンセントＡの防水性能を向上させることができる。
【０１１２】
（１８）本実施形態では、扉体７の凹所８１に前方傾斜面８５ａが設けられる構成である。したがって、規制部８７に水が浸入したとしても、扉体７を開状態とすることにより、水は前方傾斜面８５ａを介して下方に放出するようになる。その結果、規制部８７に水が溜まることが抑制され、規制部８７を介して水が差込口７５に浸入することを抑制することができる。
【０１１３】
（１９）本実施形態では、扉体７の基部８０は周壁部５０よりも略全周に亘り前方または左右方向Ｙに突出する構成である。この構成によれば、使用者は扉体７をどの方向においても指またはプラグボディ９０によって引っ掛けて開方向に移動させることができる。したがって、例えば扉体が周壁部５０よりも前方のみ突出している構成または扉体が周壁部５０よりも左右方向のみ突出している構成と比較して、扉体７の開閉動作が行い易い。その結果、コンセントＡの使い勝手が良くなる。
【０１１４】
（２０）本実施形態では、基部８０は化粧カバー６の下端面５２に対して、その全周に亘り当接する構成である。したがって、基部が下端面５２と当接しない構成または基部が下端面５２と一部のみが当接する構成と比較して、扉体７と化粧カバー６との間からコンセントＡの内部に水が侵入することを抑制することができる。
【０１１５】
また特にばね１０により閉状態においても基部８０が下端面５２に対して付勢された状態であるため、基部８０と下端面５２との間に形成される隙間を低減することができる。したがって、扉体７と化粧カバー６との間からコンセントＡの内部への水の侵入を抑制する効果をより一層向上することができる。
【０１１６】
（２１）本実施形態では、基部８０の前方の端部に湾曲凹部８３が設けられる構成である。したがって、使用者が指で扉体７を開く場合には、湾曲凹部８３に指を引っ掛けて扉体７を開けることができる。その結果、使用者の指にて扉体７を容易に開くことができる。
【０１１７】
（２２）本実施形態では、プラグボディ９０に位置表示部９５が設けられる構成である。したがって、使用者が位置表示部９５を視認することによって栓刃９１の配列状態と差込口７５とを合致させることができる。したがって、コンセントＡにプラグＢを容易に挿入することができる。
【０１１８】
（第２の実施形態）
図１１〜図１３を参照して、本発明のコンセント及びプラグを家屋の屋外の壁面に設けられる防水コンセント及びこの防水コンセントに挿入されるプラグとして具体化した第２の実施形態について説明する。本実施形態では、扉体７及びプラグボディ９０の形状が異なる。以下、本実施形態と第１の実施形態との相違点を中心に説明する。また同一部材には同一符号を付し、その説明を省略する。
【０１１９】
図１１に示すように、扉体７には、第１の実施形態の仕切壁８６を省略するとともに、傾斜部８９の後方の端部を左右方向Ｙに連結する連結壁８９ａが設けられている。この連結壁８９ａは、左右方向Ｙ及び上下方向Ｚに沿った壁体として設けられている。
【０１２０】
ここで、規制部８７は、傾斜部８９よりも前方の凹所８１の領域である。一方、固定部８８は、連結壁８９ａを含むとともに傾斜部８９よりも後方の凹所８１の領域である。これにより、突起部９４（図１２参照）は、規制部８７に当接したときに扉体７に対して左右方向Ｙの移動が規制されるとともに、固定部８８に当接したときに扉体７に対して栓刃挿入方向Ｖの抜き去り側への移動が規制されるようになる。
【０１２１】
また、基部８０の表面８０ａの凹所８１よりも右方には、プラグＢの栓刃９１（図１２参照）の配置位置及びコンセントＡに対応する電圧を示す表示部８０ｂが基部８０と一体成形により形成されている。なお、図１２中には、コンセントＡに関する説明に用いている「前後方向Ｘ」、「左右方向Ｙ」、「上下方向Ｚ」とは別に定められた「前後方向Ｘ」、「左右方向Ｙ」、「上下方向Ｚ」を示しており、図１２に関する説明では図１２中に示した方向を用いることとする。
【０１２２】
図１２に示すように、プラグボディ９０の突起部９４の後方には、上方に向かい凹むとともに後方に向かい開口する凹形状の係合部９７が設けられている。また突起部９４の側方傾斜部９４ｃは、左右方向Ｙの外方に向けて凸形状となる湾曲状に形成されている。
【０１２３】
図１３（ａ）に示すように、プラグＢのコンセントＡへの接続が完了した状態において、傾斜部８９と係合部９７とが互いに係合するようになる。このとき、プラグＢの突起部９４の保持面９４ｄが連結壁８９ａに対して栓刃挿入方向Ｖにおいて当接するようになる。したがって、プラグＢのコンセントＡへの接続が完了した状態において、プラグＢは栓刃挿入方向Ｖの抜き去り側への移動が規制されるようになる。
【０１２４】
図１３（ｂ）に示すように、係合部９７の左右方向Ｙの幅Ｔ１は、２つの傾斜部８９の左右方向Ｙの幅Ｔ２（図１１参照）と同一となる。本実施形態では、２つの傾斜部８９の左右方向の側面とこの側面に左右方向Ｙに対向する係合部９７の内面とが栓刃挿入方向Ｖ及び開閉動作方向Ｗに沿った平面にてそれぞれ形成されている。これにより、プラグＢが左右方向Ｙの力を受けることによりプラグＢが左右方向Ｙに向けて移動しようとする場合、係合部９７の内面が傾斜部８９の側面に面接触するようになる。したがって、プラグＢがコンセントＡへの接続が完了した状態、即ち栓刃９１が刃受部６１（図２参照）に挟持された状態において、プラグＢの左右方向Ｙへの移動が規制されるようになる。
【０１２５】
なお、幅Ｔ１と幅Ｔ２との関係については、係合部９７の幅Ｔ１の方が幅Ｔ２に比べてやや広い関係にあってもよく、この場合、プラグＢの傾斜部８９を係合部９７にスムーズに係合させることができる。
【０１２６】
本実施形態によれば、第１の実施形態の効果（１）〜（２２）に加え、以下の効果を奏することができる。
【０１２７】
（２３）本実施形態では、プラグＢのコンセントＡへの接続が完了した状態において、係合部９７と傾斜部８９とが係合している。したがって、この状態において、プラグＢが左右方向Ｙの荷重を受けることに起因してプラグＢの栓刃９１がコンセントＡの刃受部６５から抜けることを抑制することができる。
【０１２８】
（２４）本実施形態では、係合部９７が傾斜部８９の左右方向Ｙの両側から挟み込む凹形状とするため、扉体７に対してプラグＢが左右方向Ｙの移動を規制するための構成を簡単化とすることができる。
【０１２９】
（２５）本実施形態では、側方傾斜部９４ｃが左右方向Ｙの外方に向けて凸形状となる湾曲状に形成されている。したがって、側方傾斜部９４ｃが平面形状にて形成される場合と比較して、プラグＢの美観を向上させることができる。
【０１３０】
加えて、プラグＢを屋外にて使用する場合において、アスファルト等にプラグＢを置いたときに、側方傾斜部９４ｃが湾曲状であると突起部９４をアスファルトに当接した状態を維持することが困難となる。即ち、プラグＢは突起部９４がアスファルトに対して離間するように回動するようになる。これにより、アスファルトに置いたプラグＢを車両が踏んだとしても、車両が突起部９４をアスファルトに対して押圧する力を低減することができる。したがって、突起部９４の破損を抑制することができる。
【０１３１】
（２６）防水コンセントは、屋外にて用いられるため、雨等による水が化粧カバー６と扉体７の基部８０との間を介して浸入する場合がある。このような水は、図３に示す矢印のように、その水の自重により基部８０の規制部８７を通過するとともに仕切壁８６を乗り越えて固定部８８に浸入した後、基部８０と軸ボディ９との間の隙間を介して下方に滴下していくようになる。しかしながら、規制部８７は基部８０から凹むとともに仕切壁８６によって固定部８８と仕切られているため、若干の水が溜まる可能性がある。
【０１３２】
その点、本実施形態では、仕切壁８６を省略する構成であるため、化粧カバー６と基部８０との間を介して浸入した水は、図１１に示す矢印のように、傾斜部８９の左右方向Ｙの両側を通過して固定部８８に浸入した後、基部８０と軸ボディ９との間の隙間を介して下方に滴下するようになる。これにより、規制部８７に水が溜まることを抑制することができる。
【０１３３】
（２７）本実施形態では、基部８０の表面８０ａに表示部８０ｂが設けられている。したがって、コンセントＡにプラグＢを接続する場合に、扉体７を開状態にしたときに作業者が表示部８０ｂを視認することができるようになる。これにより、プラグＢがコンセントＡの供給電圧に対して適合しているか否かを作業者が確認することができるため、作業者がコンセントＡに対して供給電圧の異なるプラグを接続することを抑制することができる。
【０１３４】
加えて、表示部８０ｂにより作業者がプラグＢの栓刃９１の配置位置を確認することができるため、作業者が差込口７５の位置を直接視認することを省略することができる。したがって、プラグＢのコンセントＡへの接続を容易に行うことができる。
【０１３５】
（第３の実施形態）
図１４及び図１５を参照して、本発明のコンセント及びコンセントを家屋の屋外の壁面に設けられる防水コンセント及びこの防水コンセントに挿入されるプラグとして具体化した第３の実施形態について説明する。本実施形態では、第１の実施形態と比較して、化粧カバー６に保護プレートが設けられた点にて異なる。以下、本実施形態と第１の実施形態との相違点を中心に説明する。また同一部材には同一符号を付し、その説明を省略する。
【０１３６】
図１４に示すように、コンセントＡの化粧カバー６の周壁部５０の左右方向Ｙの中央部には、下方が開口するとともに後側に凹む凹部５３が設けられている。この凹部５３には、化粧カバー６を保護する保護プレート１７が化粧カバー６とは別部材として嵌合している。また保護プレート１７は、閉状態における規制部８７（図３参照）と左右方向Ｙに対応する位置に設けられることとなる。即ち閉状態における規制部８７の左右方向Ｙの位置と保護プレート１７の左右方向Ｙの位置とが一致するようになる。なお本実施形態では、保護プレート１７はステンレス鋼をプレス加工することにより、略平板状に形成されている。
【０１３７】
ところで、このような保護プレート１７が省略されたコンセントでは、プラグＢをコンセントに挿入するときに、詳細には、プラグＢによって扉体７を開方向に動作させるときには、プラグボディ９０の一部を扉体７に当接させた状態にて扉体７を開方向に動作させている。特にプラグＢによって扉体７を動作させる場合には、規制部８７と左右方向Ｙに同位置である湾曲凹部８３にプラグボディ９０を当接させる。このときにプラグボディ９０の上端部を後方に傾けるため、栓刃９１が規制部８７に左右方向Ｙに対応する化粧カバー６の中央部に接触してしまう場合がある。栓刃９１が化粧カバー６に接触すると、化粧カバー６は樹脂材料であるため、化粧カバー６が削れて傷付いてしまう。その結果、化粧カバー６の傷が酸化することによって腐食してしまう問題やコンセントの美観が低下してしまう問題が生じるようになる。
【０１３８】
その点、本実施形態では、図１５に示すように、プラグＢによって扉体７を開方向に動作させるときに、保護プレート１７が規制部８７と対応する位置に設けられているため、プラグＢの栓刃９１が保護プレート１７に接触する。これにより、栓刃９１と化粧カバー６との接触を回避している。
【０１３９】
本実施形態によれば、第１の実施形態の効果（１）〜（２２）に加え、以下に示す効果を得ることができる。
【０１４０】
（２８）本実施形態によれば、保護プレート１７が化粧カバー６に取り付けられる構成である。したがって、栓刃９１が化粧カバー６に直接接触することが回避されるようになる。その結果、上述の化粧カバー６の腐食の問題やコンセントの美観の低下の問題を解消することができる。
【０１４１】
（２９）本実施形態によれば、保護プレート１７としてステンレス鋼を用いる構成である。この構成によれば、保護プレートに鉄材料を用いる場合と比較して、保護プレート１７が錆難くなる。したがって、屋外にて用いられる本実施形態のコンセントＡに好適である。
【０１４２】
（第４の実施形態）
図１６及び図１７を参照して、本発明のコンセント及びプラグを家屋の屋外の壁面に設けられる防水コンセント及びこの防水コンセントに挿入されるプラグとして具体化した第４の実施形態について説明する。本実施形態では、第１の実施形態と比較して、壁面とコンセントとの間にスペーサを設けた点にて異なる。以下、本実施形態と第１の実施形態との相違点を中心に説明する。また同一部材には同一符号を付し、その説明を省略する。
【０１４３】
図１６に示すように、コンセントＡの後方には、スペーサ１８がパッキン４に取り付けられている。このスペーサ１８の後方には、防水パッキン１９が取り付けられている。この防水パッキン１９は壁面ＷＬとも当接している。
【０１４４】
図１７に示すように、スペーサ１８は、枠体状の本体部１００が設けられている。この本体部１００には、中央に電線を挿通するための電線挿通孔１０１と、この電線挿通孔１０１の上方及び下方にねじ挿通孔１０２とがそれぞれ設けられている。
【０１４５】
ところで、導体の直径が２ｍｍ以下の電線（第１電線）の場合、作業者の手作業にて第１電線を屈曲してコンセントＡの内部に収納することが可能である。しかしながら、導体の直径が２．６ｍｍ、もしくはそれ以上の電線（第２電線）の場合、作業者が手作業にて第２電線を屈曲してコンセントＡの内部に収納することが困難である。そのため、作業者の手作業にて第２電線を収納する場合には、この第２電線を屈曲せずにコンセントＡに接続する方法が取られる。しかしながら、コンセントＡを直接壁面ＷＬに取り付ける構成では、第２電線を収納する前後方向Ｘのスペースがないため、この第２電線を収納することが困難となる。
【０１４６】
その点、本実施形態では、壁面ＷＬとパッキン４と前後方向の間にスペーサ１８を配置するため、第２電線を収納する前後方向Ｘのスペースを確保することができ、この第２電線をコンセントＡに収納することができる。また、スペーサ１８は、壁面ＷＬから第２電線が前方に突出する突出量と、コンセントブロック２（図１３参照）の電線接続部位の壁面ＷＬから前方への位置とが略同一となるように、その厚さＤが設定されている。
【０１４７】
本実施形態によれば、第１の実施形態の効果（１）〜（２２）に加え、以下に示す効果を得ることができる。
【０１４８】
（３０）本実施形態によれば、パッキン４と壁面ＷＬとの間にスペーサ１８が設けられる構成である。したがって、上記第２電線を屈曲させずにコンセントＡの内部に第２電線を収納することができる。
【０１４９】
（３１）本実施形態によれば、スペーサ１８と壁面ＷＬとの間に防水パッキン１９が設けられる構成である。したがって、スペーサ１８と壁面ＷＬとの間を介して水が浸入することを抑制することができる。
【０１５０】
（第５の実施形態）
図１８を参照して、本発明のコンセント及びプラグを家屋の屋外の壁面に設けられる防水コンセント及びこの防水コンセントに挿入されるプラグとして具体化した第５の実施形態について説明する。本実施形態では、第１の実施形態と比較して、コンセントに表示部が設けられた点にて異なる。以下、本実施形態と第１の実施形態との相違点を中心に説明する。また同一部材には同一符号を付し、その説明を省略する。
【０１５１】
図１８を参照して、コンセントＡには、同コンセントＡが通電している状態か否かを表示する表示部５４が設けられている。具体的には、化粧カバー６の周壁部５０の左右方向Ｙの中央部には、上下方向Ｚに長手となる略長方形の貫通孔５５が設けられている。この貫通孔５５には、透明な樹脂材料にて形成されたカバー部材５６が取り付けられている。このカバー部材５６の後方には、発光ダイオード５７が上下方向Ｚに４個配列した状態にて実装された回路基板（不図示）が化粧カバー６に取り付けられている。なお、回路基板は保持部２１に取り付けることもできる。また発光ダイオード５７に限定されず、他の発光素子を用いることもできる。
【０１５２】
ところで、コンセントＡは、このコンセントＡの不使用時には、屋内に設けられたスイッチやコントロールパネル等によって、コンセントＡへの電力供給のオン状態（通電状態）及びオフ状態（非通電状態）を制御する場合がある。
【０１５３】
このような場合、表示部５４が省略されたコンセントでは、コンセントが通電状態か否かを直接判別すること困難である。そのため、プラグＢ（図６参照）をコンセントに接続したときにプラグＢが接続された機器に電力供給がなされないことをもってコンセントの通電状態が判別する。したがって、プラグＢを接続した後に、屋内のスイッチやコントロールパネル等によって、コンセントの通電状態を設定する必要がある。その結果、コンセントの使い勝手が悪かった。
【０１５４】
その点、本実施形態では、表示部５４によってコンセントＡの通電状態か否かを判別することができるため、プラグＢをコンセントＡに接続する前にコンセントＡの通電状態を判別することができ、コンセントＡの使い勝手が良くなる。
【０１５５】
本実施形態によれば、第１の実施形態の効果（１）〜（２２）に加え、以下に示す効果を得ることができる。
【０１５６】
（３２）本実施形態によれば、表示部５４によりコンセントＡが通電状態か否かを使用者が直接視認することができる。したがって、コンセントＡにプラグＢを挿入する前にコンセントＡの通電状態を確認することができるため、コンセントＡの使い勝手が良くなる。
【０１５７】
（第６の実施形態）
図１９〜図２１を参照して、本発明のコンセント及びプラグを扉体のない屋外用コンセント及びこの屋外用コンセントに挿入されるプラグとして具体化した第６の実施形態について説明する。本実施形態では、第２の実施形態と比較して、コンセントＡの形状が異なる。以下、本実施形態と第２の実施形態との相違点を中心に説明する。また同一部材には同一符号を付し、その説明を省略する。
【０１５８】
本実施形態のコンセントＡは、例えば電気自動車用の充電スタンド（不図示）に設けられる。充電スタンドは、電気自動車にケーブルを介して接続することにより、電気自動車に搭載されたバッテリに充電する充電装置であり、例えば屋外の駐車場に設置されている。この充電スタンドには、一側面にコンセントＡが露出するスタンド本体（不図示）と、開閉式の扉（不図示）とが設けられており、コンセントＡの非使用時には扉を閉じることによりコンセントＡが扉に覆われる。
【０１５９】
コンセントＡは、スタンド本体の側面を構成する壁体（不図示）に対してねじ（不図示）によって取り付けられる。壁体には、コンセントＡを露出させるための開口部（不図示）と、開口部の周囲に４つの取付孔（不図示）とが設けられている。
【０１６０】
本実施形態では、壁体の厚み方向を「前後方向Ｘ」とし、充電スタンドが設置された状態の鉛直方向に沿う方向を「上下方向Ｚ」とし、前後方向及び上下方向の両方に直交する方向を「左右方向Ｙ」とする。また前後方向Ｘにおいて、壁体の表側に向かう方向を「前方」とし、壁体の裏側に向かう方向を「後方」とする。
【０１６１】
図１９に示すように、コンセントＡのコンセント本体１Ａは、樹脂材料を用いて成形された直方体状のケース７６を有している。ケース７６の前面７７の左右方向Ｙの中央部には、前面７７より前方に向けて突出する突状部７８が設けられている。ケース７６の前面７７の４隅には、壁体への取り付け時にねじを固定するためのねじ穴７９がそれぞれ設けられている。突状部７８の前面７８ａの下端部には、前面７８ａから前方に向けて突出する支持体である支持板１２０が設けられている。
【０１６２】
突状部７８は、前方から見た平面視において上方が湾曲形状となるとともに下方が矩形状となるように形成されている。また突状部７８の突出量、すなわちケース７６の前面７７と突状部７８の前面７８ａとの前後方向Ｘの距離は、壁体の前後方向Ｘの厚さである板厚よりも若干大きく設定される。壁体の開口部は突状部７８に対応する形状に形成されており、コンセントＡは、突状部７８を前方に露出させるように開口部内に後方から突状部７８を挿入した状態で壁体にねじで固定される。
【０１６３】
突状部７８には、突状部７８の前面７８ａから後方に向けて凹む凹部７３が形成されている。この凹部７３は、前方から見た平面視において円形に形成され、その底面７４には、差込口７５が設けられている。
【０１６４】
第２の実施形態では、差込口７５の電源挿入孔７５ａが、この電源挿入孔７５ａの配列方向が長手方向となる略長方形状に形成された、いわゆる単相２００Ｖ用のコンセントの差込口の形状であったが、本実施形態はこの点でも第２の実施形態と相違する。つまり、本実施形態では、電源挿入孔７５ａが、この電源挿入孔７５ａの配列方向が短手方向となる略長方形状に形成された、いわゆる単相１００Ｖ用のコンセントの差込口の形状のコンセントＡを例示している。これに合わせて、プラグＢにおける電源用栓刃９１ａの配置も、前後方向Ｘの平面視において上下方向Ｚに長手の略長方形状となるように、第２の実施形態から変更されている（図２０参照）。
【０１６５】
支持板１２０は、樹脂材料を用いて成形され、上方から見た平面視において前後方向Ｘに向けて延びるとともに、後方の部位の左右方向Ｙの幅が前方の部位の左右方向Ｙの幅よりも大きくなるように形成されている。支持板１２０は、その左右方向Ｙの中央部に上面１２１から下方に向かい凹む凹所８１が設けられており、同じく凹所８１が形成された第２の実施形態における扉体７（図１１参照）に相当する。
【０１６６】
ただし、扉体７は扉開閉機構を構成し開閉動作可能に構成されるのに対し、支持板１２０は突状部７８の前面７８ａから前方に向けて突出した図１９の状態で固定されている。なお、支持板１２０は突状部７８と連続一体に形成されていてもよいし、突状部７８とは別に形成されケース７６に固定されていてもよい。
【０１６７】
すなわち、支持板１２０の凹所８１の底面には傾斜部８９及び連結壁８９ａが設けられており、傾斜部８９よりも前方の凹所８１の領域が規制部８７となる。一方、固定部８８は、連結壁８９ａを含むとともに傾斜部８９よりも後方の凹所８１の領域である。これにより、プラグＢの突起部９４（図２０参照）は、規制部８７に当接したときに支持板１２０に対して左右方向Ｙの移動が規制されるとともに、固定部８８に当接したときに支持板１２０に対して栓刃挿入方向の抜き去り側への移動が規制されるようになる。
【０１６８】
次に、図２０を参照して、プラグＢをコンセントＡに接続する態様について説明する。図２０（ａ）に示すように、使用者は、位置表示部９５が上方となるようにプラグＢの向きを調整した後、コンセントＡに向けてプラグＢを移動させる。これにより、プラグＢの突起部９４が凹所８１内に案内されて規制部８７に当接し、栓刃９１が差込口７５に対して栓刃挿入方向（前後方向Ｘ）において対応した位置に配置されるようになる。
【０１６９】
その後、図２０（ｂ）に示すように、プラグＢの突起部９４と支持板１２０の傾斜部８９とが当接すると、支持板１２０は、コンセント本体１Ａとの結合部位を支点として、前端部が下方に向けて変位するように撓む。すなわち支持板１２０は、突状部７８との結合部位を支点として下方に弾性変形する。
【０１７０】
この状態からプラグＢがさらに挿入されると、図２０（ｃ）に示すように、突起部９４が傾斜部８９の頂部を乗り越えた後、支持板１２０は復元力の作用により上方に向けて変位する。このとき、栓刃９１が差込口７５（図１９参照）に挿入された状態となるとともにプラグＢがコンセントＡに接続完了となる。
【０１７１】
次に、図２１を参照して、コンセントＡからプラグＢを抜き去る態様について説明する。図２１（ａ）に示すように、使用者が支持板１２０の前端部を下方に押圧する。この状態において、突起部９４と傾斜部８９との係合が概ね外された状態となるので、使用者がプラグＢを前方に引き抜くことにより、図２１（ｂ）に示すようにコンセントＡからプラグＢが引き抜かれた状態となる。このとき、使用者が支持板１２０から指を離すと復元力により支持板１２０は上方に向けて変位する。
【０１７２】
上述したように、本実施形態においては、突状部７８の前面７８ａが挿入面を構成しており、支持板１２０は挿入面から突出する支持体として機能する。さらに、支持板１２０の上面１２１は、支持体のうちプラグボディ９０（図２０参照）と対向する面である支持面を構成する。すなわち、支持面である上面１２１に形成された規制部８７は、プラグＢの挿入時に突起部９４を案内し、支持面に沿う平面内で栓刃９１（図２０参照）の挿入方向（前後方向Ｘ）と直交する直交方向（左右方向Ｙ）へのプラグボディ９０の移動を規制する。この状態では、コンセント本体１Ａに対するプラグボディ９０の位置は、栓刃９１が差込口７５に対応する（つまり栓刃９１の進行方向前方に差込口７５が位置する）ように、規制されることになる。
【０１７３】
本実施形態によれば、第１の実施形態の効果（１）〜（２２）に加え、以下に示す効果を得ることができる。
【０１７４】
（３３）本実施形態では、突起部９４が傾斜部８９に当接したときに、支持板１２０はコンセント本体１Ａとの結合部位を中心として下方に向けて撓む。これにより、傾斜部８９が突起部９４に対して離れる方向に向かい変位する。したがって、突起部９４が傾斜部８９を容易に乗り越えることができるため、プラグＢのコンセントＡへの挿入作業を容易に行うことができる。
【０１７５】
加えて、プラグＢがコンセントＡに接続された状態において、使用者が指にて支持板１２０を下方に向けて押圧することにより、支持板１２０が結合部位を支点として下方に焼む。これにより、支持板１２０の傾斜部８９がプラグＢの突起部９４から離れる方向に向けて移動するため、プラグＢをコンセントＡから抜き去るときに傾斜部８９と突起部９４とが互いに干渉することを抑制することができる。これにより、支持板１２０に、傾斜部８９が突起部９４から離れる方向に向けて移動するための専用の機構を設けることを省略することができるため、支持板１２０の簡単化を図ることができる。
【０１７６】
また、支持板１２０はコンセント本体１Ａに固定されているので、扉体７（図１１参照）のような開閉動作のための機構も省略することができる。
【０１７７】
（その他の実施形態）
本発明は、上記各実施形態に限定されることなく、例えば以下の変更が可能である。また、以下の変形例は、上記各実施形態についてのみ適用されるものでなく、異なる変形例同士を互いに組み合わせて実施することもできる。また上記各実施形態は、それぞれ組み合わせて実施することもできる。
【０１７８】
第５の実施形態では、表示部５４が化粧カバー６の左右方向Ｙの中央部に設けられる構成であったが、表示部５４の位置はこれに限定されることはない。使用者が視認することのできる位置に表示部５４は設けられていればよい。したがって、例えば図２２に示すように、ボディ３の本体部２０の下方の部位に表示部５４を設けることもできる。
【０１７９】
第３の実施形態では、保護プレート１７を化粧カバー６とは別部材として設けたが、保護プレート１７の構成はこれに限定されることはない。化粧カバー６において、プラグＢをコンセントＡに挿入する際に栓刃９１が接触する領域に化粧カバー６の硬度よりも高い硬度の部位を形成していればよい。したがって、保護部材として例えば保護プレート１７に代えて、化粧カバー６に紫外線を照射することにより硬化及び乾燥する塗料を用いて行うＵＶ塗装等の傷に強い塗装を施すこともできる。また化粧カバー６の上記領域を２色成形として化粧カバー６よりも硬度の高い樹脂材料にて成形することもできる。
【０１８０】
第６の実施形態では、コンセントＡは扉体に代えて支持板１２０を備えているが、この構成に限らず、支持体としての支持板１２０とは別に差込口７５を開閉するための扉体がコンセントＡに付加されていてもよい。あるいは、コンセント本体１Ａのケース７６内部に、差込口７５を開閉する内扉が設けられていてもよい。
【０１８１】
また、第６の実施形態では、充電スタンドに設けられる屋外用コンセントを例示したが、これに限らず、コンセントＡは例えば建造物の壁面を構成する壁パネルなどに取り付けることも可能である。その際、コンセントＡは、一般的な露出コンセントと同様に、壁面からケース７６全体が露出するように取り付けられてもよく、この場合、ケース７６の前面７７には前面が突状部７８の前面７８ａと面一になるカバー（不図示）が取り付けられてもよい。
【０１８２】
第６の実施形態を除く上記各実施形態では、コンセントブロック２の受口カバー１６の差込口７５の電源挿入孔７５ａが、この電源挿入孔７５ａの配列方向が長手方向となる略長方形状に形成された、いわゆる単相２００Ｖ用のコンセントの差込口の形状であった。ただし、受口カバー１６の差込口７５はこれに限定されることはない。例えば図２３に示すように、電源挿入孔７５ａの配列方向が短手方向となる略長方形状に形成された、いわゆる単相１００Ｖ用のコンセントの差込口の形状とすることもできる。
【０１８３】
ここで、コンセントブロック２の端子板１３の形状が第１挟持片６４Ａ及び第２挟持片６４Ｂにより構成されるため、受口カバー１６を２種類用意するのみにて、コンセントＡは単相１００Ｖ用及び単相２００Ｖ用の両方に適用することができるようになる。
【０１８４】
上記各実施形態では、端子板１３には第１挟持片６４Ａと第２挟持片６４Ｂとにより構成されたが、端子板１３は第２挟持片６４Ｂを省略することもできる。この場合、単相１００Ｖ用のコンセントブロック２と単相２００Ｖ用のコンセントブロック２とを用意する必要がある。
【０１８５】
第６の実施形態を除く上記各実施形態では、受口カバー１６の底面７４と化粧カバー６の下端面５２とが互いに平行となるように形成したが、底面と下端面とは互いに異なる角度にて形成することもできる。
【０１８６】
第６の実施形態を除く上記各実施形態では、基部８０が化粧カバー６の周壁部５０よりも突出して設けられたが、基部８０と周壁部５０とは、その前方及び左右方向Ｙにおいて略同位置として設けることもできる。
【０１８７】
また、周壁部５０の一部が後方に凹む凹形状を設けることにより、基部８０と周壁部５０とが前方及び左右方向Ｙにおいて略同位置として設けられたとしても、凹形状に対応する基部８０の部位のみは、周壁部５０から突出する態様とすることができる。
【０１８８】
第６の実施形態を除く上記各実施形態では、基部８０の凹所８１の接続部８５が傾斜面８５ａ，８５ｂを有するように形成されたが、接続部８５は基部８０に対して垂直に延びるように形成することもできる。
【０１８９】
第６の実施形態を除く上記各実施形態では、付勢部材としてばね１０を用いたが、付勢部材は扉体７を閉状態となるように付勢する部材であればよいため、上記ばね１０以外の部材とすることもできる。
【０１９０】
上記各実施形態では、規制部８７と固定部８８とは凹所８１内に設けられる構成であったが、規制部８７及び固定部８８の構成はこれに限定されることはない。例えば、図２４に示すように、扉体７の基部８０から上方に突出する一対のリブ１１０により規制部８７を構成し、規制部８７から後方に離間した位置に凹所として固定部８８を構成することもできる。具体的には、一対のリブ１１０は、それぞれ前後方向Ｘに長手となる直方体に形成されるとともに、左右方向Ｙにおいて突起部９４（図６参照）の幅Ｈ１と略同一の幅Ｈ３で互いに離間して設けられている。突起部９４は、一対のリブ１１０と基部８０の表面とにより形成される空間に収納されるようになる。また固定部８８は、凹所の前方の端面であるとともに基部８０の表面から下方に上下方向Ｚに沿って形成される固定面１１１が形成されている。突起部９４が固定部８８に収納される際には、保持面９４ｄが固定面１１１に当接するようになる。
【０１９１】
上記各実施形態では、仕切壁８６の前方に傾斜部８９が設けられたが、この傾斜部８９は省略することもできる。また傾斜部８９の形状は、滑らかな傾斜面に限定されることなく、例えば、複数の段部から構成される階段状に形成することもできる。
【０１９２】
第２の実施形態では、傾斜部８９及び連結壁８９ａのそれぞれを凹所８１から上方に突出する形状、即ち凹所８１の裏面が平面のみにて形成される構成であったが、傾斜部８９及び連結壁８９ａの構成はこれに限定されることはない。例えば、図２５に示すように、凹所８１の裏面に上方に向けて凹む凹部８９ｂを設けるとともに、凹所８１の表面側には上方に突出する傾斜部８９及び連結壁８９ａを設けることもできる。この場合、傾斜部８９は、前後方向Ｘ及び上下方向Ｚに沿った一対の側壁８９ｃと、これら側壁８９ｃを上方から左右方向Ｙに連結する傾斜壁８９ｄとにより構成される。そして一対の側壁８９ｃ及び傾斜壁８９ｄにより囲まれた空間が凹部８９ｂとなる。
【０１９３】
上記各実施形態では、扉体７の基部８０の凹所８１に仕切壁８６（第２の実施形態においては連結壁８９ａ）を設ける構成であったが、図２６に示すように、仕切壁８６（連結壁８９ａ）を省略することもできる。この場合、プラグＢの突起部９４の保持面９４ｄは、傾斜部８９の後方の端面８９ｅに当接するようになる。
【０１９４】
上記各実施形態では、扉体７の基部８０の凹所８１に傾斜部８９及び仕切壁８６（第２の実施形態においては連結壁８９ａ）を設ける構成であったが、図２７に示すように、傾斜部８９及び仕切壁８６（連結壁８９ａ）はそれぞれ省略することができる。これにより、第１の実施形態の効果（１）〜（３）に準じた効果を奏することができる。
【０１９５】
上記各実施形態では、扉体７の基部８０に凹所８１を設ける構成であったが、図２８に示すように、凹所８１を省略することもできる。この場合、仕切壁８６（第２の実施形態においては連結壁８９ａ）及び傾斜部８９はそれぞれ受口カバー１６の凹部７３に収納されるようになる。これにより、扉体７が閉状態において、仕切壁８６（第２の実施形態においては連結壁８９ａ）及び傾斜部８９と受口カバー１６との干渉を回避することができるため、上記干渉に起因して基部８０と化粧カバー６の下端面５２との間が離間してしまうことを抑制することができる。
【０１９６】
上記各実施形態では、規制部８７に突起部９４を収納した状態において、接地用栓刃９１ｂの先端部が接地挿入孔７５ｂに挿入された状態となるように規制部８７を形成したが、規制部８７の位置はこれに限定されることはない。例えば、規制部８７に突起部９４を収納した状態において、接地用栓刃９１ｂは接地挿入孔７５ｂよりも抜去方向に位置することもできる。
【０１９７】
上記各実施形態では、規制部８７は基部８０に対して開方向に凹む凹形状としたが、規制部８７の形状はこれに限定されることはない。基部８０より閉方向に突出するように規制部８７を設けることもできる。この場合、仕切壁８６（第２の実施形態においては連結壁８９ａ）も基部８０より閉方向に突出するように設けることもできる。
【０１９８】
上記各実施形態では、プラグボディ９０に突起部９４を設ける構成であったが、この突起部９４を省略することもできる。この場合には、規制部８７は、プラグボディ９０の下方の一部を収納するようになり、仕切壁８６（第２の実施形態においては連結壁８９ａ）はプラグボディ９０の背面（即ちプラグボディ９０の抜き去り方向の端面）と当接するようになる。
【０１９９】
上記各実施形態では、扉体７に仕切壁８６（第２の実施形態においては連結壁８９ａ）を設けることにより、プラグＢの抜去方向に対する抜け止め機構を構成したが、この抜け止め機構の構成はこれに限定されることはない。例えば、栓刃に貫通孔を設け、刃受部の貫通孔と対応する箇所に突起部を設けた上で、貫通孔に突起部が係合することにより抜け止め機構を構成することもできる。また、上記抜け止め機構は省略することもできる。
【０２００】
上記各実施形態では、凹所８１に設けられた仕切壁８６（第２の実施形態においては連結壁８９ａ）により規制部８７と固定部８８とを区分けする構成であったが、規制部８７及び固定部８８の構成はこれに限定されることはない。例えば、凹所８１が前後方向Ｘに離間して２つ設けられ、前方の凹所を規制部８７とし、後方の凹所を固定部８８とすることもできる。この場合、規制部８７の凹所の後方において、凹所の底面から後方に向かうにつれて上方に傾斜する後方傾斜面を設けることもできる。これにより、プラグＢを栓刃挿入方向Ｖに移動するのみにて突起部９４が規制部８７から乗り越えることができる。
【０２０１】
上記各実施形態では、コンセントＡを屋外に設けられた防水コンセントあるいは屋外用コンセントに適用したが、コンセントＡは屋内のコンセントにも適用することができる。
【符号の説明】
【０２０２】
Ａ…コンセント、Ｂ…プラグ、ＳＣ１〜ＳＣ３…ねじ部材、ＷＬ…壁面、１Ａ…コンセント本体、１Ｂ…扉開閉機構、２…コンセントブロック、３…ボディ、４…防水パッキン（パッキン）、５…取付枠、６…化粧カバー、７…扉体（支持体）、８…シャフト、９…軸ボディ、９ａ…シャフト挿通孔、１０…つるまきばね（ばね）、１１…コンセントボディ、１１ａ…固定部、１１ｂ…底壁、１１ｃ…電線挿通孔、１１ｄ…操作孔、１２…コンセントカバー、１２ａ…固定部、１３…端子板、１３Ａ…電源端子板、１３Ｂ…接地端子板、１４…錠ばね、１５…解除釦、１６…受口カバー、１７…保護プレート（保護部材）、１８…スペーサ、１９…防水パッキン、２０…本体部、２１…保持部、２２…貫通孔、２３…カバー体、２４…嵌合部、２５…挿通孔、２６…当接面、３０…本体部、３１…蓋部、３２…電線挿通孔、３３…段部、３４…貫通孔、４０…本体部、４１…貫通孔、４２…取付孔、４３…貫通孔、５０…周壁部、５１…上壁、５２…下端面（接触面）、５３…凹部、５４…表示部、５５…貫通孔、５６…カバー部材、５７…発光ダイオード、６０…基部、６１…刃受部、６２…錠ばね接触部、６３…電線接触部、６４Ａ…第１挟持片、６４Ｂ…第２挟持片、６５…刃受部、６６…錠ばね接触部、６７…電線接触部、７０…本体部、７１…周壁面、７２…下面、７３…凹部、７４…底面（挿入面）、７５…差込口、７５ａ…電源挿入孔、７５ｂ…接地挿入孔、７６…ケース、７７…前面、７８…突状部、７８ａ…前面（挿入面）、７９…ねじ穴、８０…基部、８０ａ…表面（支持面）、８１…凹所、８２…シャフト挿通部、８３…湾曲凹部、８４…底面、８４ａ…平面、８４ｂ…平面、８４ｃ…傾斜面、８５…接続部、８５ａ…前方傾斜面、８５ｂ…側方傾斜面、８６…仕切壁、８７…規制部、８８…固定部、８９…傾斜部、８９ａ…連結壁、８９ｂ…側壁、８９ｄ…傾斜壁、８９ｅ…端面、９０…プラグボディ、９１…栓刃、９１ａ…電源用栓刃、９１ｂ…接地用栓刃、９１ｂ１…先端部、９２…ケーブル、９３…把持部、９４…突起部、９４ａ…下端部、９４ｂ…前方傾斜部、９４ｃ…側方傾斜部、９４ｄ…保持面、９４ｅ…凹部、９５…位置表示部、９６…当接面、９７…係合部、１００…本体部、１０１…電線挿通孔、１０２…ねじ挿通孔、１１０…リブ、１１１…固定面、１２０…支持板（支持体）、１２１上面（支持面）。
【図１】
0005502826.tif 000002
【図２】
0005502826.tif 000003
【図３】
0005502826.tif 000004
【図４】
0005502826.tif 000005
【図５】
0005502826.tif 000006
【図６】
0005502826.tif 000007
【図７】
0005502826.tif 000008
【図８】
0005502826.tif 000009
【図９】
0005502826.tif 000010
【図１０】
0005502826.tif 000011
【図１１】
0005502826.tif 000012
【図１２】
0005502826.tif 000013
【図１３】
0005502826.tif 000014
【図１４】
0005502826.tif 000015
【図１５】
0005502826.tif 000016
【図１６】
0005502826.tif 000017
【図１７】
0005502826.tif 000018
【図１８】
0005502826.tif 000019
【図１９】
0005502826.tif 000020
【図２０】
0005502826.tif 000021
【図２１】
0005502826.tif 000022
【図２２】
0005502826.tif 000023
【図２３】
0005502826.tif 000024
【図２４】
0005502826.tif 000025
【図２５】
0005502826.tif 000026
【図２６】
0005502826.tif 000027
【図２７】
0005502826.tif 000028
【図２８】
0005502826.tif 000029